(57)【要約】      （修正有）【課題】形状や構造を簡略化し、製造コストを下げることが可能な嵌な付き式ペダルの締め付け部材の構造を提供する。【解決手段】締め付け部材本体とばね調整片とを含み、締め付け部材本体は締め付け端及び軸接端を含み、かつばね調整片には埋設部を備え、埋設部は締め付け部材の本体内部に嵌め付けて設けられる。【選択図】図６
0003165778.tif 000002
【実用新案登録請求の範囲】
【請求項１】
嵌め付き式ペダルの締め付け部材の構造であって、
締め付け部材本体とばね調整片とを含み、
締め付け部材本体は締め付け端及び軸接端を含み、
締め付け部材本体は軸接端個所に設けられ、
ばね調整片は埋設部を備え、
前記埋設部は前記締め付け部材本体の内部に嵌め付けて設けられることを特徴とする嵌め付き式ペダルの締め付け部材の構造。
【請求項２】
前記埋設部はばね調整片の両側にそれぞれ翼部が延伸して設けられることを特徴とする請求項１記載の嵌め付き式ペダルの締め付け部材の構造。
【請求項３】
前記締め付け部材本体の軸接端には一対の枢接板が設けられ、その一対の枢接板は枢棒部が取り付けられてペダル本体に枢設されることに供され、枢棒部にはねじりばねが取り付けられ、締め付け端に相対して弾性押し付けの力を提供ものを特徴とする請求項１記載の嵌め付き式ペダルの締め付け部材の構造。
【請求項４】
調整ボルトと更に調整ボルトと調整片とを含み、該調整ボルトはねじ孔が設けられるねじ調整片にねじ込むことに用いられ、前記調整片は調整ボルトにねじ付けられ、かつそれの埋設部の他端に相対して調整ボルトの軸心方向に沿って折り返しの調整段が設けられ、調整段には長孔が設けられ、かつ調整片には長孔内にスライド可能に突出する突起が設けられ、前記ねじりばねは調整ボルトに対応して取り付け部が設けられ、取り付け部は調整ボルトの取り付けに用いられ、かつ調整片個所に当て付け、ねじりばねは少なくとも一つのばね脚を具え、ばね脚はペダル本体に嵌め付けて設置されることを特徴とする請求項３記載の嵌め付き式ペダルの締め付け部材の構造。
【請求項５】
嵌め付け式ペダルで、ペダル軸と、ペダル軸に結合してペダル軸を巡り回って回転し、それの両端はそれぞれ掛け止め端及び嵌め付け端であり、嵌め付け端は締め付け部材の枢棒部の取り付け枢接に用いられるペダル本体と、枢棒部に設けられ、それの両端はペダル本体に嵌め付けられ、締め付け部材と相対して弾性押し当ての力を提供するねじりばねと、ばね調整片に設けられ、ねじりばねの預力を調整する調整セットとを含むことを特徴とする嵌め付き式ペダルの締め付け部材の構造。
【考案の詳細な説明】
【技術分野】
【０００１】
本考案は嵌め付き式ペダル(pedal)の締め付け部材に関するもので、更に詳しく言えば、それは特に一体に製造されるばね調整片を含む締め付け部材を指し、それによって嵌め付き式ペダルの構造と組立手順を簡略化できる、締め付け部材を含んだ嵌め付き式ペダルに関するものである。
【背景技術】
【０００２】
自転車の嵌め付き式ペダルは靴止め片でペダルと靴を互いに嵌め付ける原理により、自転車の騎乗者の足がペダルから離れないようにする。伝統的嵌め付け構造を備えないペダルと比べれば、嵌め付き式ペダルは自転車の騎乗者に踏込力をより小さく省力できるとともに、踏込力が持続され、かつ足とペダルの離脱を防げるので、登山用自転車、クロスカントリサイクリング(cross country cycling)、競輪等の車型では常にこの嵌め付き式ペダルが使われる。
【０００３】
米国特許第６７０８５８４号（特許文献１）に記載の従来技術の嵌め付き式ペダルは、ペダルアセンブリ(assembly)を開示している。それはペダル軸、ペダル軸を巡り回って回転するペダル本体、およびそれぞれペダル本体の第一端と第二端に連接される前止め部材と締め付け部材を含む。特許文献１はこの他にペダルアセンブリと嵌め付け結合する靴止めを開示している。その靴止めは前付着部材と後付着部材を備え、それらはそれぞれ前止め部材と締め付け部材に対応して嵌め付けられる。
前記ペダル本体の後端にはピン(pin)を備え、ピンにはねじりばねが設けられ、ねじりばねの一つの固定脚は締め付け部材に連接され、他の一端は締め付け部材に設けられてある調整部材に連接され、かつ調整部材によってねじりばねを締め付けまたは緩め、ねじりばねに施す力の大きさを変えることによって締め付け部材が靴止め片に嵌め付ける締り具合を調整する。
【０００４】
ところが前記特許文献１に開示の嵌め付き式ペダルは、構成部品点数が多く、特に調整部材とねじりばねには多数のサイズの細かい部品を備えているため、組立の手数が複雑で、製造は容易ではない。
さらに締め付け部材はそれら調整部材を取り付けるため、形状や構造が複雑すぎるようになりやすく、製造するうえで不利である。
かつ射出成型法でそれらの締め付け部材を製造する場合には、型が複雑になり、コスト(cost)が上昇し、甚だしくは型を開いて部材を取り出すことも困難となる。
【考案の概要】
【考案が解決しようとする課題】
【０００５】
上述した従来技術をまとめると、従来の嵌め付き式ペダルには部品の形状が複雑、サイズ(size)が小さく、組立の手順が複雑で、製造が難しい等の問題が存在する。
本考案は上述した欠点を解決するためなされたもので、新しい形態の嵌め付き式ペダル、及び嵌め付き式ペダルの締め付け部材を提出する。
【課題を解決するための手段】
【０００６】
本考案は嵌め付き式ペダルの締め付け部材の構造に関し、その締め付け部材は締め付け部材本体とばね調整片とを含む。
締め付け部材本体は締め付け端及び軸接端を含む。
ばね調整片は軸接端個所に設けられ、かつばね調整片には埋設部を備え、埋設部は締め付け部材本体内部に嵌め付けて設けられる。
【０００７】
［作用］
本考案の主要目的は締め付け部材の構造を簡略化することができ、かつばね調整片の埋設部を締め付け部材の成形型の穴内に設置して位置させ、それによって締め付け部材の射出成形加工を行うと、締め付け部材とばね調整片は一体に結合することができ、これによって締め付け部材の組立手順を減少し、並びに締め付け部材の形状構造を簡略化することができ、プレス(press)型の製作を有利にし、製造コストを下げることが可能な嵌め付き式ペダルの締め付け部材の構造を提供するものである。
【０００８】
本考案の更に一つの目的は以下の締め付け部材を含む嵌め付き式ペダルを提供するものである。それの主要な構成部材は、
ペダル軸と、
ペダル軸に結合してペダル軸を巡り回って回転し、それの両端はそれぞれ掛け止め端及び嵌め付け端であり、嵌め付け端は締め付け部材の枢棒部の取り付け枢接に用いられるペダル本体と、
枢棒部に設けられ、それの両端はペダル本体に嵌め付けられ、締め付け部材と相対して弾性押し当ての力を提供するねじりばねと、
ばね調整片に設けられ、ねじりばねの預力を調整する調整セット(set)とを含む。
【考案の効果】
【０００９】
本考案の嵌め付け式ペダルは、締め付け部材の構造を簡略化することができ、かつばね調整片の埋設部を締め付け部材の成形型の穴内に設置して位置させ、それによって締め付け部材の射出成形加工を行うことで、締め付け部材とばね調整片とを一体に結合できるから、これによって締め付け部材の組立工数を削減でき。
さらに、締め付け部材の形状と構造を簡略化することができるから、プレス(press)型を製作するうえで有利であり、製造コストを下げることが可能となる。
【図面の簡単な説明】
【００１０】
【図１】本考案に係る嵌め付き式ペダルの締め付け部材の製法行程のフロー図である。
【図２】本考案に係る嵌め付き式ペダルの締め付け部材の製造方法の説明図(一)である。
【図３】本考案に係る嵌め付き式ペダルの締め付け部材の製造方法の説明図(二)である。
【図４】本考案に係る嵌め付き式ペダルの締め付け部材の製造方法の説明図(三)である。
【図５】本考案に係る嵌め付き式ペダルの立体分解図である。
【図６】本考案の嵌め付き式ペダルの斜視図である。
【図７】ばね調整片の斜視図である。
【図８】本考案の嵌め付き式ペダルの動作説明図(一)である。
【図９】本考案の嵌め付き式ペダルの動作説明図(二)である。
【考案を実施するための形態】
【００１１】
図１に示すように、本考案に係る嵌め付き式ペダルの締め付け部材は次の手順によって製造される。
【００１２】
（工程ａ）  図２に示すように、締め付け部材の型１を提供する。この締め付け部材の型１は製品を型から取り出すことを便利にするため、複数の型塊から構成される。締め付け部材の型１の内部には中空の成形型穴２を具える。
【００１３】
（工程ｂ）  ばね調整片４０を提供する。並びにそれを締め付け部材の型１内に入れてそれの一部分を成形型穴２内に位置させる。このとき、ばね調整片４０の全部を締め付け部材の型１の内に位置させるか、または一部分を締め付け部材の型１の外に露出させるものとし、これらふたつの何れを採用するかは、製品の形状または製造過程のニーズ（ｎｅｅｄｓ）によって適宜選択する。
【００１４】
（工程ｃ）  図３に示すように、締め付け部材の材料３を提供する。例えば射出成形方式によって締め付け部材の材料３を成形型穴２の内に注入し、締め付け部材の材料３を成形型穴２内に成型してばね調整片４０と結合して固定する。
【００１５】
（工程ｄ）  図４に示すように、各型塊を分離する。そして成型後の締め付け部材３０を締め付け部材の型１内から取り出して、ばね調整片４０を具えた締め付け部材３０を形成する。
【００１６】
更に図５〜図７を参照して説明する。前記した製造方法で形成された本考案に係る締め付け部材を含む嵌め付き式ペダルはペダル軸１０、ペダル本体２０、締め付け部材３０、ばね調整片４０、ねじりばね５０、および調整セット６０を含む。
【００１７】
ペダル軸１０に結合されてペダル軸１０を巡り回って回転するペダル本体２０の両端には、それぞれ掛け止め端２１及び嵌め止め端２２を備える。掛け止め端２１は中空の枠体である。嵌め止め端２２はペダル本体２０の側辺から外へ延伸する枢接段２２１を含む。嵌め止め端２２の内側には内へ延伸する嵌め止め塊２２２が設けられる。
【００１８】
前述した製造方法によって製造された締め付け部材３０は、締め付け部材本体３１、締め付け端３２及び軸接端３３を含む。
軸接端３３には一対の枢接板３３１が設けられ、その一対の枢接板３３１は枢棒部３４が取り付けられて枢接段２２１との枢接に供される。その中、枢棒部３４は一対のボルト（ｂｏｌｔ）である。
【００１９】
ばね調整片４０は、締め付け部材本体３１の軸接端３３に設けられる。ばね調整片４０は埋設部４１を備える。
埋設部４１は締め付け部材本体３１の内部に嵌め付けられ、埋設部４１は両側に延伸してそれぞれ翼部４１１が設けられる。
【００２０】
前記枢棒部３４に設けられるねじりばね５０の両端には、ばね脚５１が形成されている。ばね脚５１はペダル本体２０の嵌め止め塊２２２に嵌め付け固定される。ねじりばね５０の中段個所には折り返して取り付け部５２が設けられる。
【００２１】
調整セット６０はばね調整片４０に設けられて前記ねじりばね５０の預力の調整に用いられる。ばね調整片４０にはねじ孔４２が設けられる。ねじ孔４２は調整ボルト６１の取り付けに用いられる。調整ボルト６１には調整片６２がねじ付けられる。調整ボルト６１はねじりばね５０の取り付け部５２に通され、かつ取り付け部５２は調整片６２に当て付けられ、締め付け部材３０に相対して弾性的な当付力を提供する。
また、ばね調整片４０の埋設部４１に相対する別の一端には、調整ボルト６１の軸心方向に沿って折り返した調整段４３が設けられる。
調整段４３には長孔４３１が設けられる。調整片６２は突き出してスライド（ｓｌｉｄｅ）可能に長孔４３１内に突起６２１が設置される。ばね調整片４０は調整段４３の折り返し個所に補強リブ（ｒｉｂ）４３２が設けられる。補強リブ４３２はばね調整片４０の内側に凹入する凹溝に現われる。
【００２２】
図８に示すように、本考案に係る嵌め付け式ペダルは、自転車専用の靴の靴止め片９０と組合せたもので、靴止め片９０には前付着部分９１と後付着部分９２とを備えている。
使用者が使用する場合には、自転車専用の靴を嵌め付け式ペダルの上の載せ、靴止め片９０の前付着部分９１を掛け止め端２１に差込み、更に後付着部分９２に対して力を施して踏み付けるだけである。
前記締め付け端３２の上表面が斜面であるため、締め付け部材３０は力を受けて外へ回転し、掛け止め端２１と締め付け端３２の距離が増える。これにより、図９に示すように、靴止め片９０の後付着部分９２は順調に締め付け部材３０内に嵌め込まれ、並びにねじりばね５０の弾性押し付け力によって締め付け部材３０は元の位置に回復する。掛け止め端２１と締め付け端３２はそれぞれ靴止め片９０の前付着部分９１と後付着部分９２に掛け止められ、騎乗者が自転車を騎乗したときに、不注意に足が滑り脱げて筋肉離れ等の傷害になることを防止できる。
【００２３】
また、ねじりばね５０の取り付け部５２は調整片６２に密接しているので、使用者が靴止め片９０と嵌め付け式ペダルとの緊密さを調整する場合には、調整ボルト６１を回すだけで、調整片６２は長孔４３１に沿ってスライドし、調整片６２がねじりばね５０の取り付け部５２に施す預力の大きさが変えられ、靴止め片９０と嵌め付け式ペダルとの緊密さが調整することができる。
【００２４】
本考案はばね調整片４０の少なくて一部分を締め付け部材の型１の型穴２内に入れ込んで位置させ、それによって締め付け部材３０の射出成形加工時に、締め付け部材３０とばね調整片４０とを一体に結合できる。
これによって締め付け部材３０の組立手順を減少し、並びに締め付け部材３０の形状構造を簡略化し、型作り製造を有利にし、製造コストを下げることができる。
【００２５】
ばね調整片４０の埋設部４１には両側へ延伸する翼部４１１が設けられ、それはばね調整片４０の締め付け部材本体３１に嵌め付ける固定力を強化し、長く使用されて脱落する問題を確実に防止することができる。また、ばね調整片４０は金属材料から作られ、更に前記補強リブ４３２はばね調整片４０が力を受けて彎曲することを防ぎ、それの機械強度、耐磨耗力を確実に増やし、製品の信頼性が増える。
【符号の説明】
【００２６】
１        締め付け部材の型
２        成形型穴
３        締め付け部材の材料
１０      ペダル軸
２０      ペダル本体
２１      掛け止め端
２２      嵌め止め端
２２１    枢接段
２２２    嵌め止め塊
３０      締め付け部材
３１      締め付け部材本体
３２      締め付け端
３３      軸接端
３３１    枢接板
３４      枢棒部
４０      ばね調整片
４１      埋設部
４１１    翼部
４２      ねじ孔
４３      調整段
４３１    長孔
４３２    補強リブ
５０      ねじりばね
５１      ばね脚
５２      取り付け部
６０      調整セット
６１      調整ボルト
６２      調整片
６２１    突起
９０      靴止め片
９１      前付着部分
９２      後付着部分
【図１】
0003165778.tif 000003
【図２】
0003165778.tif 000004
【図３】
0003165778.tif 000005
【図４】
0003165778.tif 000006
【図５】
0003165778.tif 000007
【図６】
0003165778.tif 000008
【図７】
0003165778.tif 000009
【図８】
0003165778.tif 000010
【図９】
0003165778.tif 000011